(57)【特許請求の範囲】
【請求項１】
複数の端子台ユニットを連結した端子台であって、
前記端子台ユニットは、１つのプラス電源端子と、１つのマイナス電源端子と、１つの信号端子と、前記プラス電源端子の側部に設けられ、先端部にねじの軸部が嵌り込む円弧状の切り欠き部分を有する連結金具と、前記マイナス電源端子の側部に設けられ、先端部にねじの軸部が嵌り込む円弧状の切り欠き部分を有する連結金具と、他の前記端子台ユニットが備える前記プラス電源端子の側部に設けられる連結金具が挿入可能な矩形状に開口する挿入孔と、他の前記端子台ユニットが備える前記マイナス電源端子の側部に設けられる連結金具が挿入可能な矩形状に開口する挿入孔と、を備え、
複数の前記端子台ユニットが連結されることにより、
それぞれの前記端子台ユニットが備える前記プラス電源端子が前記プラス電源端子の側部に設けられる連結金具を介して相互に接続されてプラス電源ラインを形成し、
それぞれの前記端子台ユニットが備える前記マイナス電源端子が前記マイナス電源端子の側部に設けられる連結金具を介して相互に接続されてマイナス電源ラインを形成するセンサー用端子台。
【請求項２】
１つのプラス電源端子と、１つのマイナス電源端子と、１つの信号端子と、前記プラス電源端子の側部に設けられ、先端部にねじの軸部が嵌り込む円弧状の切り欠き部分を有する連結金具と、前記マイナス電源端子の側部に設けられ、先端部にねじの軸部が嵌り込む円弧状の切り欠き部分を有する連結金具と、他の端子台ユニットが備える前記プラス電源端子の側部に設けられる連結金具が挿入可能な矩形状に開口する挿入孔と、他の端子台ユニットが備える前記マイナス電源端子の側部に設けられる連結金具が挿入可能な矩形状に開口する挿入孔と、を備え、複数が連結されることによりセンサー用端子台を構成する端子台ユニットであって、
複数の前記端子台ユニットが連結されることにより、
それぞれの前記端子台ユニットが備える前記プラス電源端子が前記プラス電源端子の側部に設けられる連結金具を介して相互に接続されてプラス電源ラインを形成し、
それぞれの前記端子台ユニットが備える前記マイナス電源端子が前記マイナス電源端子の側部に設けられる連結金具を介して相互に接続されてマイナス電源ラインを形成するように構成された端子台ユニット。
【発明の詳細な説明】
【技術分野】
【０００１】
本発明の実施形態は、複数のセンサーが接続されるセンサー用端子台、および、このセンサー用端子台を構成する端子台ユニットに関する。
【背景技術】
【０００２】
例えば工作機械や産業機械などには、各種のセンサー類が端子台を介して制御盤に接続される（例えば、特許文献１参照）。
【先行技術文献】
【特許文献】
【０００３】
【特許文献１】特開平６−２５１８１７号公報
【発明の概要】
【発明が解決しようとする課題】
【０００４】
ところで、工作機械や産業機械などに取り付けられるセンサー類の数は増加する一方であり、取り付けるセンサー数の増加に伴い、その配線も複雑化する一方である。そして、配線が複雑な状態となっていると、例えばセンサーの故障などのトラブルが発生した場合に、その原因の調査、特定、復旧などの作業に多大な労力と時間を要してしまう。
【０００５】
そこで、センサーの配線の複雑化を回避することができるセンサー用端子台、および、このセンサー用端子台を構成する端子台ユニットを提供する。
【課題を解決するための手段】
【０００６】
本実施形態に係るセンサー用端子台は、複数の端子台ユニットを連結した端子台であって、前記端子台ユニットは、１つのプラス電源端子と、１つのマイナス電源端子と、１つの信号端子と、前記プラス電源端子の側部に設けられ、先端部にねじの軸部が嵌り込む円弧状の切り欠き部分を有する連結金具と、前記マイナス電源端子の側部に設けられ、先端部にねじの軸部が嵌り込む円弧状の切り欠き部分を有する連結金具と、他の前記端子台ユニットが備える前記プラス電源端子の側部に設けられる連結金具が挿入可能な矩形状に開口する挿入孔と、他の前記端子台ユニットが備える前記マイナス電源端子の側部に設けられる連結金具が挿入可能な矩形状に開口する挿入孔と、を備え、複数の前記端子台ユニットが連結されることにより、それぞれの前記端子台ユニットが備える前記プラス電源端子が前記プラス電源端子の側部に設けられる連結金具を介して相互に接続されてプラス電源ラインを形成し、それぞれの前記端子台ユニットが備える前記マイナス電源端子が前記マイナス電源端子の側部に設けられる連結金具を介して相互に接続されてマイナス電源ラインを形成する。この構成によれば、１つのセンサーにつき１つの端子台ユニットで配線を行うことができ、配線の複雑化を回避することができる。
【０００７】
本実施形態に係る端子台ユニットは、１つのプラス電源端子と、１つのマイナス電源端子と、１つの信号端子と、前記プラス電源端子の側部に設けられ、先端部にねじの軸部が嵌り込む円弧状の切り欠き部分を有する連結金具と、前記マイナス電源端子の側部に設けられ、先端部にねじの軸部が嵌り込む円弧状の切り欠き部分を有する連結金具と、他の端子台ユニットが備える前記プラス電源端子の側部に設けられる連結金具が挿入可能な矩形状に開口する挿入孔と、他の端子台ユニットが備える前記マイナス電源端子の側部に設けられる連結金具が挿入可能な矩形状に開口する挿入孔と、を備え、複数が連結されることによりセンサー用端子台を構成する端子台ユニットであって、複数の前記端子台ユニットが連結されることにより、それぞれの前記端子台ユニットが備える前記プラス電源端子が前記プラス電源端子の側部に設けられる連結金具を介して相互に接続されてプラス電源ラインを形成し、それぞれの前記端子台ユニットが備える前記マイナス電源端子が前記マイナス電源端子の側部に設けられる連結金具を介して相互に接続されてマイナス電源ラインを形成するように構成されている。この端子台ユニットによれば、取り付けるセンサーの数に応じて端子台ユニットを増設することにより、必要な端子を備えるセンサー用端子台を容易に構築することができる。
【図面の簡単な説明】
【０００８】
【図１】一実施形態に係るセンサー用端子台の構成例を概略的に示す図
【図２】一実施形態に係る端部用端子台ユニットの構成例を概略的に示す図
【図３】一実施形態に係る増設用端子台ユニットの構成例を概略的に示す図
【図４】一実施形態に係る増設用端子台ユニットの具体的な構成例を示す斜視図
【図５】一実施形態に係るセンサー用端子台に対するセンサーの接続態様の一例を示す図
【図６】従来の端子台に対するセンサーの接続態様を示す図
【発明を実施するための形態】
【０００９】
以下、センサー用端子台および端子台ユニットに係る一実施形態について図面を参照しながら説明する。例えば工作機械や産業機械などに一般的に使われているセンサーは、プラス電源用の電源線、マイナス電源用の電源線、信号伝送用の信号線の３本の配線が必要であり、各配線は、例えば１〜３ｍ程の長さを有する場合がある。この種のセンサーは、端子台を介さずに制御盤に直接接続する場合もある。しかし、工作機械や産業機械などの可動部の存在や、センサーを交換する場合における作業性などを考慮し、この種のセンサーは、端子台を介して配線を繋ぎ直して接続することが一般的である。
【００１０】
図６に例示するように、従来のセンサー用端子台１００において、例えば１０個のセンサー１０１［１］〜１０１［１０］を取り付ける場合であれば、図示しない制御盤から延びる１０本の信号線Ｌｓと２本の電源線Ｌｅ［＋］，Ｌｅ［−］により配線することが可能である。しかし、従来のセンサー用端子台１００では、１本の電源線Ｌｅ［＋］を１０個のセンサー１０１［１］〜１０１［１０］に対応させるために、また、１本の電源線Ｌｅ［−］を１０個のセンサー１０１［１］〜１０１［１０］に対応させるために、複数の渡り線Ｌｗが必要となる。また、センサー１０１［１］〜１０１［１０］の電源線ＬｅＳ［＋］，ＬｅＳ［−］と信号線ＬｓＳとがどのように対応しているのかを把握しにくく、従って、例えばセンサーの交換などといったメンテナンス作業が困難である。また、配線の数が多いことから配線スペースを確保しなければならならない。また、配線が複雑に絡まり見た目が悪くなる、端子台の大型化を招くといった課題が生じる。
【００１１】
以上の通り、従来のセンサー用端子台１００は、配線の複雑化を招くなど、多くの課題を有している。そこで、本実施形態では、このような課題の解決を図るべく、センサーの配線の複雑化を回避することができるセンサー用端子台の一構成例を開示する。
即ち、図１に例示するセンサー用端子台１０は、複数の端子台ユニット１１を連結した構成である。この場合、センサー用端子台１０は、端子台ユニット１１として、１つの端部用端子台ユニット１１Ａと、複数の増設用端子台ユニット１１Ｂとを有する。
【００１２】
図２に例示するように、端部用端子台ユニット１１Ａは、例えば樹脂などの電気絶縁性材料からなるユニット本体部１２Ａに、センサー側配線部１３Ａおよび制御盤側配線部１４Ａを備える。センサー側配線部１３Ａは、図示しないセンサーからの配線が接続される配線部である。制御盤側配線部１４Ａは、図示しない制御盤からの配線が接続される配線部である。
【００１３】
センサー側配線部１３Ａは、センサーのプラス電源線ＬｅＳ［＋］が接続されるセンサー側プラス電源端子ＴｅＳ［＋］と、センサーのマイナス電源線ＬｅＳ［−］が接続されるセンサー側マイナス電源端子ＴｅＳ［−］と、センサーの信号線ＬｓＳが接続されるセンサー側信号端子ＴｓＳと、を備える。
【００１４】
制御盤側配線部１４Ａは、制御盤のプラス電源線ＬｅＣ［＋］が接続される制御盤側プラス電源端子ＴｅＣ［＋］と、制御盤のマイナス電源線ＬｅＣ［−］が接続される制御盤側マイナス電源端子ＴｅＣ［−］と、制御盤の信号線ＬｓＣが接続される制御盤側信号端子ＴｓＣと、を備える。
【００１５】
なお、端部用端子台ユニット１１Ａにおいて、センサー側プラス電源端子ＴｅＳ［＋］と制御盤側プラス電源端子ＴｅＣ［＋］は、例えば金具などの導電性の部材により電気的に接続されている。また、センサー側マイナス電源端子ＴｅＳ［−］と制御盤側マイナス電源端子ＴｅＣ［−］は、例えば金具などの導電性の部材により電気的に接続されている。
【００１６】
図３に例示するように、増設用端子台ユニット１１Ｂは、例えば樹脂などの電気絶縁性材料からなるユニット本体部１２Ｂに、センサー側配線部１３Ｂおよび制御盤側配線部１４Ｂを備える。センサー側配線部１３Ｂは、図示しないセンサーからの配線が接続される配線部である。制御盤側配線部１４Ｂは、図示しない制御盤からの配線が接続される配線部である。
【００１７】
センサー側配線部１３Ｂは、センサーのプラス電源線ＬｅＳ［＋］が接続されるセンサー側プラス電源端子ＴｅＳ［＋］と、センサーのマイナス電源線ＬｅＳ［−］が接続されるセンサー側マイナス電源端子ＴｅＳ［−］と、センサーの信号線ＬｓＳが接続されるセンサー側信号端子ＴｓＳと、を備える。
【００１８】
制御盤側配線部１４Ｂは、制御盤の信号線ＬｓＣが接続される制御盤側信号端子ＴｓＣを備える。即ち、増設用端子台ユニット１１Ｂは、端部用端子台ユニット１１Ａから制御盤側プラス電源端子ＴｅＣ［＋］および制御盤側マイナス電源端子ＴｅＣ［−］を省いた構成となっている。
【００１９】
また、図４に例示するように、増設用端子台ユニット１１Ｂは、連結金具２１，２２を備える。また、増設用端子台ユニット１１Ｂは、挿入孔３１，３２を備える。増設用端子台ユニット１１Ｂのユニット本体部１２Ｂは、下段部１２Ｂａ、中段部１２Ｂｂ、上段部１２Ｂｃの高さが異なる複数の段部を有している。そして、下段部１２Ｂａには、センサー側プラス電源端子ＴｅＳ［＋］が設けられ、中段部１２Ｂｂには、センサー側マイナス電源端子ＴｅＳ［−］が設けられている。また、上段部１２Ｂｃには、センサー側信号端子ＴｓＳおよび制御盤側信号端子ＴｓＣが設けられている。
【００２０】
連結金具２１は、下段部１２Ｂａの側部から外方に向かって突出しており、連結金具２２は、中段部１２Ｂｂの側部から外方に向かって突出している。連結金具２１，２２は、板状であり、その先端部が円弧状に切り欠かれている。また、挿入孔３１は、下段部１２Ｂａの連結金具２１とは反対側の側部に設けられており、挿入孔３２は、中段部１２Ｂｂの連結金具２２とは反対側の側部に設けられている。挿入孔３１，３２は、連結金具２１，２２が挿入可能な矩形状に開口している。よって、挿入孔３１，３２には、他の増設用端子台ユニット１１Ｂが備える連結金具２１，２２が挿入されるようになっている。なお、図示はしないが、端部用端子台ユニット１１Ａにも挿入孔３１，３２が設けられている。
【００２１】
センサー用端子台１０は、１つの端部用端子台ユニット１１Ａに複数の増設用端子台ユニット１１Ｂが連結されることにより構成される。即ち、センサーの数に応じて増設用端子台ユニット１１Ｂを増設することによりセンサー用端子台１０が構築される。このとき、一の端子台ユニット１１の挿入孔３１，３２には、当該一の端子台ユニット１１に増設される他の端子台ユニット１１の連結金具２１，２２が差し込まれる。そして、連結金具２１，２２の先端部の切り欠き部分には、他の端子台ユニット１１の電源端子Ｔｅに備えられるねじの軸部が嵌り込む。これにより、隣り合う電源端子Ｔｅ間の電気的接続が一層確実なものとなる。
【００２２】
複数の端子台ユニット１１が連結されることにより構築されたセンサー用端子台１０においては、それぞれの端子台ユニット１１が備えるプラス電源端子ＴｅＳ［＋］が連結金具２１を介して相互に電気的に接続される。これにより、図１に例示するように、それぞれの端子台ユニット１１が備えるプラス電源端子Ｔｅ［＋］が相互に接続されてプラス電源ラインＴｅＬ［＋］が形成される。
【００２３】
また、複数の端子台ユニット１１が連結されることにより構築されたセンサー用端子台１０においては、それぞれの端子台ユニット１１が備えるマイナス電源端子ＴｅＳ［−］が連結金具２２を介して相互に電気的に接続される。これにより、図１に例示するように、それぞれの端子台ユニット１１が備えるマイナス電源端子Ｔｅ［−］が相互に接続されてマイナス電源ラインＴｅＬ［−］が形成される。
【００２４】
次に、センサー用端子台１０に対するセンサーの一接続形態を例示する。即ち、図５に例示するように、複数のセンサー１０１［１］，・・・１０１［ｎ］を取り付ける場合、制御盤のプラス電源線ＬｅＣ［＋］は、端部用端子台ユニット１１Ａの制御盤側プラス電源端子ＴｅＣ［＋］に接続され、制御盤のマイナス電源線ＬｅＣ［−］は、端部用端子台ユニット１１Ａの制御盤側マイナス電源端子ＴｅＣ［−］に接続される。また、制御盤の信号線ＬｓＣは、それぞれ、各端子台ユニット１１の制御盤側信号端子ＴｓＣに接続される。
【００２５】
そして、例えばセンサー１０１［１］のプラス電源線ＬｅＳ［＋］，マイナス電源線ＬｅＳ［−］，信号線ＬｓＳは、端部用端子台ユニット１１Ａのセンサー側プラス電源端子ＴｅＳ［＋］，センサー側マイナス電源端子ＴｅＳ［−］，センサー側信号端子ＴｓＳにそれぞれ接続される。また、例えばセンサー１０１［３］のプラス電源線ＬｅＳ［＋］，マイナス電源線ＬｅＳ［−］，信号線ＬｓＳは、端部用端子台ユニット１１Ａから２つめの増設用端子台ユニット１１Ｂのセンサー側プラス電源端子ＴｅＳ［＋］，センサー側マイナス電源端子ＴｅＳ［−］，センサー側信号端子ＴｓＳにそれぞれ接続される。
【００２６】
つまり、１つのセンサー１０１［ｎ］が備えるプラス電源線ＬｅＳ［＋］，マイナス電源線ＬｅＳ［−］，信号線ＬｓＳは、同一の端子台ユニット１１が備えるセンサー側プラス電源端子ＴｅＳ［＋］，センサー側マイナス電源端子ＴｅＳ［−］，センサー側信号端子ＴｓＳにそれぞれ接続される。換言すれば、１つのセンサー１０１［ｎ］の接続は、１つの端子台ユニット１１により行うことができる。
【００２７】
本実施形態に係るセンサー用端子台１０は、複数の端子台ユニット１１を連結することで構成された端子台である。そして、複数の端子台ユニット１１は、それぞれ、１つのプラス電源端子ＴｅＳ［＋］と、１つのマイナス電源端子ＴｅＳ［−］と、１つの信号端子ＴｓＳと、を備える。即ち、センサー用端子台１０は、１つの端子台ユニット１１により１つのセンサーに対応する構成である。この構成によれば、１つのセンサーにつき１つの端子台ユニット１１で配線を行うことができ、配線の複雑化を回避することができる。
【００２８】
また、センサー用端子台１０は、複数の端子台ユニット１１が連結されることにより、各端子台ユニット１１のプラス電源端子ＴｅＳ［＋］が相互に接続されてプラス電源ラインＴｅＬ［＋］が自動的に形成され、また、各端子台ユニット１１のマイナス電源端子ＴｅＳ［−］が相互に接続されてマイナス電源ラインＴｅＬ［−］が自動的に形成される。即ち、端子台ユニット１１を増設すると同時に電源ラインも拡張することができ、電源ラインの配線の手間を省くことができる。
【００２９】
また、本実施形態に係る端子台ユニット１１は、１つのプラス電源端子ＴｅＳ［＋］と、１つのマイナス電源端子ＴｅＳ［−］と、１つの信号端子ＴｓＳと、を備え、複数が連結されることによりセンサー用端子台１０を構成する。この端子台ユニット１１によれば、取り付けるセンサーの数に応じて端子台ユニット１１を増設することにより、必要な端子を備えるセンサー用端子台１０を容易に構築することができる。また、不要な端子の発生を抑えることができ、端子台１０全体としての大型化や構造の複雑化を回避することができる。
【００３０】
また、あるセンサーに仮に故障等が生じた場合には、そのセンサーと端子台ユニット１１とが１対１で対応していることから、例えば端子台ユニット１１ごと交換することができる。また、センサーの配線先が端子台ユニット１１ごとに明確に分かれているので、原因の調査、特定、復旧などの作業を容易に行うことができる。
【００３１】
なお、本実施形態は、上述した実施形態に限定されるものではなく、その要旨を逸脱しない範囲で種々の実施形態に適用可能である。例えば、図４に例示する増設用端子台ユニット１１Ｂの構成は、あくまでも例示であり、この構成に限られるものではない。また、端部用端子台ユニット１１Ａの構成も、適宜変更して実施することができる。
【符号の説明】
【００３２】
図面中、１０はセンサー用端子台、１１は端子台ユニット、１１Ａは端部用端子台ユニット、１１Ｂは増設用端子台ユニット、ＴｅＳ［＋］はセンサー側プラス電源端子（プラス電源端子）、ＴｅＳ［−］はセンサー側マイナス電源端子（マイナス電源端子）、ＴｓＳはセンサー側信号端子（信号端子）、ＴｅＬ［＋］はプラス電源ライン、ＴｅＬ［−］はマイナス電源ラインを示す。
【図１】
0006784483.tif 000002
【図２】
0006784483.tif 000003
【図３】
0006784483.tif 000004
【図４】
0006784483.tif 000005
【図５】
0006784483.tif 000006
【図６】
0006784483.tif 000007